(57)【要約】【課題】貝殻を一つ一つ丁寧に掃除することができ、生産性が高く、しかも貝殻から除去された異物の周囲への飛散が大幅に抑えて作業場の掃除作業等に費やす作業者の労力を大幅に軽減することができる貝殻掃除装置を提供する。【解決手段】貝殻を手で保持した状態で該貝殻に付着している異物を除去するための貝殻掃除装置において、長手中心軸線を左右方向に向けて台枠１に設けた、回転駆動速度を変更可能な駆動軸２と、台枠１から突出している駆動軸２の先端部に設けた回転ブラシ３と、回転ブラシ３の外周並びに左右の側面を覆うように台枠１に取り付けたカバー３とを備え、カバー３は、回転ブラシ３により貝殻から除去された異物Ａを、下側の開口１０と、前側の開口１１と、前側の開口１１の下縁から、鉛直方向に対し所定の角度をなして上方かつ前方へ突出した反り板１２とを有する。【選択図】図１
2020089325.tif 000002
【特許請求の範囲】
【請求項１】
貝殻を手で保持した状態で該貝殻に付着している異物を除去するための貝殻掃除装置において、
長手中心軸線を左右方向に向けて台枠に設けた、回転駆動速度を変更可能な駆動軸と、
前記台枠から突出している前記駆動軸の先端部に設けた回転ブラシと、
前記回転ブラシの外周並びに左右の側面を覆うように前記台枠に取り付けたカバーとを備え、
前記カバーは、
前記回転ブラシにより貝殻から除去された異物を、前記回転ブラシの下方に準備される、上側が開口した容器内へ落下させるための下側の開口と、
前記回転ブラシの前方に配置した前側の開口と、
前記前側の開口の下縁から、鉛直方向に対し所定の角度をなして上向きかつ前方へ突出した反り板とを有することを特徴とする貝殻掃除装置。
【請求項２】
請求項１に記載の貝殻掃除装置において、
前記カバーは、少なくとも前記台枠の側面に隣接する部分の下縁から、鉛直方向に対し所定の角度をなして下向きかつ当該カバーの内側へ突出した案内板を有することを特徴とする貝殻掃除装置。
【発明の詳細な説明】
【技術分野】
【０００１】
本発明は、牡蠣又はその他の貝の貝殻表面を掃除する貝殻掃除装置に関する。
【背景技術】
【０００２】
例えば、水揚げされた牡蠣は、その殻を取り除いて中身だけ販売する場合が圧倒的に多いが、生の殻付きの牡蠣の方が見栄えが良く美味しいため、最近では、居酒屋や料亭等において生の殻付きの牡蠣の需要が多くなり、特に、牡蠣の食べ放題の店に向けて、生の殻付きの牡蠣の出荷が増えている。このような生の殻付き牡蠣は、通常、その貝殻表面を掃除して、つまり貝殻に付着したフジツボ等の異物を除去して出荷する必要がある。
【０００３】
従来、牡蠣の貝殻に付着した異物を除去するために、全体棒状の刃物本体の外周部に複数の刃部を形成してなる刃物を把持部の前方に有し、この刃物を、把持部の内部に設けたモータにより回転駆動することができようにした刃物回転器具（例えば特許文献１を参照。）を用いている。この場合、作業者が、片方の手で牡蠣を保持し、もう片方の手で刃物回転器具の把持部を持って、回転駆動中の刃物を貝殻の異物付着部分に押し付けながら移動させることにより、異物を除去する。そして、このようにすることにより貝殻を一つ一つ丁寧に掃除することができ、見栄えが良いものを出荷することができる。
【０００４】
しかし、このように作業者が片方の手に牡蠣を保持し、もう片方の手に刃物回転器具を持って作業を行う場合、重量のある刃物回転器具を持つ方の手の負担が大きいので、作業者が疲れ易く、生産性が低い。そのため受注量の増大に対応しきれなくなっている。また、作業中に除去された異物が周囲に飛散するので、作業者の着衣等が飛散した異物で汚れると共に貝殻の掃除作業終了後に作業場の掃除が必要となり、作業場の掃除作業等に骨が折れる。
【先行技術文献】
【特許文献】
【０００５】
【特許文献１】特開２０１７−２０５０３４号公報
【発明の概要】
【発明が解決しようとする課題】
【０００６】
本発明は、従来のこのような事情に鑑みてなされたものである。本発明の目的の一は、貝殻を一つ一つ丁寧に掃除することができ、生産性が高く、しかも貝殻から除去された異物の周囲への飛散が大幅に抑えて作業場の掃除作業等に費やす作業者の労力を大幅に軽減することができる貝殻掃除装置を提供することにある。
【課題を解決するための手段及び発明の効果】
【０００７】
本発明の第１の側面に係る貝殻掃除装置によれば、貝殻を手で保持した状態で該貝殻に付着している異物を除去するための貝殻掃除装置において、長手中心軸線を左右方向に向けて台枠に設けた、回転駆動速度を変更可能な駆動軸と、前記台枠から突出している前記駆動軸の先端部に設けた回転ブラシと、前記回転ブラシの外周並びに左右の側面を覆うように前記台枠に取り付けたカバーとを備え、前記カバーは、前記回転ブラシにより貝殻から除去された異物を、前記回転ブラシの下方に準備される、上側が開口した容器内へ落下させるための下側の開口と、前記回転ブラシの前方に配置した前側の開口と、前記前側の開口の下縁から、鉛直方向に対し所定の角度をなして上向きかつ前方へ突出した反り板とを有するよう構成できる。
【０００８】
このように構成することにより、作業者は貝殻を両手で確実に保持して回転ブラシに押し付けることができるので作業性が良くなり、比較的短時間で多量の貝殻を掃除することができるようになる。また貝殻の破壊強度に応じて回転ブラシの回転速度を変更することができるので、貝殻の破損を防ぐことができる。更に回転ブラシにより掻き落とされて飛散した貝殻の異物はカバーで受け止められるので、貝殻から除去された異物で作業場を汚さずに済み、カバーの前側の開口から飛び出すものについては、反り板で受け止めることができるので、作業者の足元や着衣等が飛散した異物で汚れるのを防ぐことができる。それゆえ、貝殻を一つ一つ丁寧に掃除することができ、生産性が向上し、しかも作業場の清掃作業等に費やす作業者の労力を大幅に軽減することができる。
【０００９】
本発明の第２の側面に係る貝殻掃除装置によれば、前記カバーは、少なくとも前記台枠の側面に隣接する部分の下縁から、鉛直方向に対し所定の角度をなして下向きかつ当該カバーの内側へ突出した案内板を有するよう構成できる。このように構成することにより、上側が開口した容器の上縁にフランジが形成されていて、容器をカバーの下側に設置する際に、そのフランジが台枠の側面に当接することで、下側の開口の台枠側の縁が容器の内周面に届かない場合であっても、除去された異物が、案内板によって容器の内周面より内側まで案内されて落下するようになるので、容器のフランジ上や、フランジの外側に飛散して周囲を汚すことを防ぐことができる。
【図面の簡単な説明】
【００１０】
【図１】本発明の一実施例に係る貝殻掃除装置の正面図である。
【図２】本発明の一実施例に係る貝殻掃除装置の左側面図である。
【図３】回転ブラシの正面図である。
【図４】回転ブラシの横断断面図であって、図３におけるＡ−Ａ矢視断面図である。
【図５】回転ブラシの横断断面図であって、回転ブラシの回転停止状態の一例を示す断面図である。
【図６】回転ヘッドの縦断断面図である。
【図７】ボスの横断断面図であって、図３におけるＣ−Ｃ矢視断面図である。
【図８】ボスの横断断面図であって、図３におけるＤ−Ｄ矢視断面図である。
【図９】回転中の回転ブラシに貝殻を押し付けた状態を模型的に示した説明図である。
【発明を実施するための形態】
【００１１】
以下、本発明の実施の形態を図面に基づいて説明する。ただし、以下に示す実施の形態は、本発明の技術思想を具体化するための貝殻掃除装置を例示するものであって、本発明はそれを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１２】
図１に示す貝殻掃除装置は、貝殻を手で保持した状態で該貝殻に付着している異物を除去するためのものであり、長手中心軸線を左右方向に向けて台枠１に設けた、回転駆動速度を変更可能な駆動軸２と、台枠１から突出している駆動軸２の先端部に設けた回転ブラシ３と、回転ブラシ３の外周並びに左右の側面を覆うように台枠１に取り付けたカバー４とを備えている。
【００１３】
この実施例では、二人の作業者が同時に掃除作業をすることができるようにし、それによって装置の設置場所や設備費を節約するために、駆動軸１の両端を台枠１の左右側面から突出させており、駆動軸２の両端に夫々回転ブラシ３、３を設け、回転ブラシ３、３毎にカバー４を備えている。また、未処理の貝殻を置いておくために、台枠１の上側に天板１ｂを設けている。このようにすると、作業者が作業位置から容易に未掃除の貝殻を手にとることができ、作業能率が向上する。なお、左右の回転ブラシ３、３、左右のカバー４、４は夫々互いに線対称に配置されており、同じ構造であるので、これ以降の回転ブラシ３及びカバー４についての説明は、原則として左側のものについて行う。
（駆動軸）
【００１４】
駆動軸２は、台枠１に設けた軸受５、５により回転自在支持されており、台枠１に設けたモータ６の動力をベルト伝動装置７によって伝達することにより回転駆動される。そして回転ブラシ３は駆動軸２と共に、図２示す矢印Ａ１の方向に回転する。モータ６の回転速度は、台枠１の前面上部の前面を覆う前面板１ａに取り付けた速度設定つまみ８によって設定された所要の回転速度に基づき制御されるようになっている。またモータ６の起動停止用のスイッチ９も前面板１ａに取り付けてある。
（カバー）
【００１５】
カバー４は、回転ブラシ３により貝殻から除去された異物を、回転ブラシ３の下方に準備される容器Ｂ内へ落下させるための下側の開口１０と、回転ブラシ３の前方に配置した前側の開口１１と、図２に示すように前側の開口１１の下縁から、鉛直方向に対し所定の角度をなして上向きかつ前方へ突出した反り板１２とを有している。またカバー４は、台枠１の側面に固着したスカート部１４と、スカート部１４の上側に装着したフード部１５とからなる。スカート部１４の背面上縁部と、フード部１５の背面下縁部とが蝶番１６で連結されているので、フード部１５を、図２に２点鎖線で示すように蝶番１６のピンを中心に旋回させることで、回転ブラシ３から退避させることができ、回転ブラシ３の保守時等に、簡単に保守用の作業空間を得ることができる。
【００１６】
スカート部１４は、水平断面が四角形状になるよう前後左右の各側板で構成してあり、その上端及び下端は夫々開口している。そしてスカート部１４の下端の開口は、カバー４の下側の開口１０となっている。右側の側板は台枠１の側面に固着してあり、反り板１２は前側の側板の上縁に設けてある。一方、フード部１５は、下側が開口した四角の箱になるように、前後左右の側板及び天板で構成してある。そしてスカート部１４の前側の側板の上縁及び左右の側板の各前縁と、フード部１５の前側の側板の下縁及び左右の側板の各前縁とに囲まれた空所が、カバー４の前側の開口１１となっている。
【００１７】
容器Ｂは、その上側が開口しており、床ＦＬ上に置いてある。スカート部１４の下側は、容器Ｂの設置空間になっており、案内板１７の下端は、床ＦＬ上に設置した容器Ｂの上端より高くなるようにしてある。容器Ｂの上端の開口の周りには、外向きに張出したフランジＦが形成してあり、スカート部１４は、台枠１の側面に隣接する部分の下縁から、鉛直方向に対し所定の角度をなして下向きかつ当該スカート部１４の内側へ突出した案内板１７を有している。このような案内板１７をカバー４が有しているので、容器Ｂをカバー４の下側に設置する際に、そのフランジＦが台枠１の側面に当接することで、カバー４の下側の開口の台枠１側の縁が容器Ｂの内周面に届かない場合であっても、除去された異物Ａが、案内板１７によって容器Ｂの内周面より内側へ案内されて落下するようになるので、容器ＢのフランジＦ上や、フランジＦの外側に飛散して周囲を汚すことを防ぐことができる。
（回転ブラシ）
【００１８】
図３は、無負荷で回転中の回転ブラシ３の状態を示す正面図、図４は図３のＡ−Ａ矢視断面図、図５は、回転ブラシ３の回転停止状態の一例を示す断面図である。
【００１９】
図３に示すように、回転ブラシ３は、左右一対となる鍔部１８、１９を有する回転ヘッド２０と、一対の鍔部１８、１９に両端部を保持された複数の軸体２１と、軸体２１毎に複数本ずつ準備された棒材２２とを備える。各棒材２２は、その一端部を軸体２１により回動自在に貫通されている。鍔部１８、１９には軸体２１を通すと共に、軸体２１の両端部を保持するための孔が形成してある。このように構成することにより、貝殻の破壊強度に応じて効果的に貝殻の掃除をすることができる回転ブラシ３を得ることができ、多様な種類の貝殻の掃除が可能になる。
【００２０】
この実施例の場合、１本の軸体２１につき棒材２２が９本準備されている。棒材２２の相互間並びに鍔部側面との間には夫々スペーサとして平座金２３が配置してあり、軸体２１沿いに９本の棒材２２と１０枚の平座金２３とが交互に一列に並んでいる。また回転ヘッド２５は、図４、図５に示すように１６本の軸体２１を備えており、軸体２１は、回転ヘッド２５の円周方向に等間隔に配置してある。そして軸体２１はボルトからなり、棒材２２は割ピンからなる。そして割ピン２２は、その頭部の穴にボルト２１を通すことによりボルト２１により貫通して保持される。棒材２２を割ピンで構成すると、多数必要な棒材２２を市販の割ピンで賄うことができるので、棒材２２を比較的安価に調達することができ、回転ブラシ３の製作費用を低減することができる。
【００２１】
ボルト２１は、その先端を、外側の鍔部１８の外側から、鍔部１８に形成した孔に通し、割ピン２２と平座金２３の列を貫通し、更に内側の鍔部１９を貫通し、そのボルト２１の先端部にナット２４を螺着することにより、鍔部１８、１９に取り付けてある。
（回転ヘッド）
【００２２】
図６に示すように、回転ヘッド２０の一対の鍔部１８、１９は、丸い二つの回転板で構成され、二つの回転板１８、１９のうち、駆動軸２の先端から遠い方つまり内側（図６において右側）の回転板１９は、駆動軸２の外周面にスライド可能に嵌め合わせた内周面をもつボス２５と、ボス２５を駆動軸２上の所要位置で固定することができる固定手段２６とを備えている。このように構成することにより、回転ヘッド２０を駆動軸２から取り外すことなく、軸体２１毎の棒材２２の本数を増減することができ、回転ブラシ３の有効幅を簡単に比較的短時間で変えることができるようになる。そして有効幅の異なる複数個の回転ブラシ３を準備しておく必要がなく経済的である。
（外側の回転板）
【００２３】
外側の回転板１８は、その中心部に形成した穴を、駆動軸２の先端に形成した小径部２ａに嵌めてある。回転板１８の外側の側面には座金２７が配置してあり、ボルト２８が座金２７を貫通して、駆動軸２の端面に形成したねじ穴に螺合している。そして外側の回転板１８は、ボルト２８を締めて駆動軸２の小径部２ａの肩と座金２７とで挟圧することにより駆動軸２に固定してある。また外側の回転板１８の側面には駆動軸２の中心を対称の中心として点対称になるよう配置した複数の押しねじ用のねじ穴２９が形成してあり、ねじ穴２９の中心軸線は駆動軸２の中心軸線と平行に伸長している。
（内側の回転板とそのボス）
【００２４】
ボス２５は、駆動軸２の先端側へ突出した小径部２５ａとフランジ部２５ｂを有している。回転板１９の中心部には、ボスの小径部２５ａに適合する穴が形成してある。この回転板１９に形成した穴をボスの小径部２５ａの外周面に嵌め合わせ、ボルト２９を、フランジ部２５ｂに形成した穴に通し、更に回転板１９に形成したねじ穴に螺合させて締め付けることで、ボス２は回転板１９に同心に固着されている。ボス２５の、台枠１側の端面から所定幅にわたる部分は、駆動軸２を締め付けるための締付部分２５ｃとなっている。
（固定手段）
【００２５】
図７は、図３におけるＣ−Ｃ矢視断面図、図８は、図３におけるＤ−Ｄ矢視断面図である。固定手段２６は、締付部分２５ｃと、ボス２５の、締付部分２５ｃに隣接する箇所に形成した細幅の切欠き３１と、締付部分２５ｃに形成した細幅の切れ目３２と、締付部分２５ｃの、切れ目３２の片方の近傍部分２５ｄに、切れ目３２に直交する方向に形成したねじ穴３３と、切れ目３２もう片方の近傍部分２５ｅに、ねじ穴３３と同心に形成した座繰りつきバカ穴３４と、座繰り付きバカ穴３４を経てねじ穴３３に螺合した締付用ボトル３５とからなる。切欠き３１は、図７に示すように、ボス２５の円周の略半分にわたって該ボス２５の外周面から内周面に達するまで所定の切断幅で切り取ることにより形成してあり、切れ目３１は、図８に示すように、締付部分２５ｃを、その半径方向に平行かつ幅方向に所定の切断幅で切断することにより形成してある。固定手段２６をこのように構成することにより、締付用ボルト３５を締めたり緩めたりすることでボス２５を駆動軸２に固定したり駆動軸２沿いに移動可能にしたりすることができ、簡単な操作で回転板１９の駆動軸２上の所要位置に配置することが可能になる。また回転板１９の固定開放を繰り返しても駆動軸２の外周面に傷が生じにくいため、長期にわたり駆動軸２に対しするボスの所要位置への円滑な移動を維持することができる。
（貝殻の掃除）
【００２６】
上述のように構成された貝殻掃除装置により貝殻を掃除するには、予めカバー４のフード部１５を、図２に実線で示すように閉じておき、籠Ｂをカバー４の下側の開口１０の下方の床ＦＬ上に設置しておく。また未処理の貝殻を台枠１の天板１ｂ上に準備しておく。
その後、スイッチ９を入れてモータ６を起動することで駆動軸２と共に回転ブラシ３を回転させる。そして速度設定つまみ８を操作して回転ブラシ３の回転速度を貝殻Ｓの破壊強度に適応する回転速度に設定する。なお、この速度設定つまみ８による回転速度の設定はスイッチ９を入れる前に済ませておいてもよい。
【００２７】
次に、作業者が貝殻Ｓを手に取って貝殻Ｓの異物Ａの付着部分を、回転中の回転ブラシ３の外周部分に押し当てる。
【００２８】
回転ブラシ３は、停止中は、例えば図５に示す状態にあり、回転すると、その回転により棒材２２に回転ブラシ３の半径方向の加速度が生じるため、各棒材２２は軸体２１を中心に旋回して棒材２２の先端が図４に示すように回転ブラシ３の半径方向に向いた姿勢をとる。そして図９に示すように、回転ブラシ３の外周部に貝殻Ｓが押し当てられると、回転ブラシ２の棒材２２の先端部が異物Ａを殴打し、それによって異物Ａを貝殻Ｓ表面から剥離させる。そして剥離した異物Ａの大部分は下方へ向かい、剥離した異物Ａの一部分は回転ブラシ３の棒材２２等に付着した後、回転ブラシ３の周囲へ飛散するが、回転ブラシ３の周囲へ飛散した異物Ａは、カバー４に受け止められ、その後、カバー４の内周沿いに落下し、下側の開口１０を経て籠Ｂ内に収容される。特に、前側の開口１１から作業者側へ飛び出そうとした異物Ａは反り板１２に受け止められ、反り板１２の上面に沿ってカバー４の内側へ落下する。
【００２９】
回転ブラシ３の棒材２２による殴打力は、棒材２２の有する運動エネルギーに起因し、棒材２２は駆動軸２に平行な軸体２１により回転自在に保持されているので、棒材２２は殴打時の反力により後方へ旋回して逃げることができる。それゆえ、通常の範囲内で貝殻Ｓを回転ブラシ３に押し付ける分には、棒材２２の根元が回転ヘッドに固定されている場合のように過大な殴打力が生じることがない。
（回転ブラシの有効幅の変更）
【００３０】
貝の成長状態や貝の種類等に貝殻の大きさは多様に異なり、例えば、貝殻の大きさに比べて回転ブラシ３の有効幅が狭いと作業能率が低下し、回転ブラシ３の有効幅が広すぎると作業者の手が回転ブラシ３に触れ易くなり、その際棒材の先端で手が殴打される。そこで作業性を良くして生産性を向上させるためには、回転ブラシ３貝殻の大きさ等に適合する有効幅のものを用いることが望ましい。上述のように構成した貝殻掃除装置は、軸体２１毎の、貫通されて一列に並ぶ棒材２２の本数を変えることにより、比較的簡単に回転ブラシ３の有効幅を変更することができるようになっているので、次に、この貝殻掃除装置における回転ブラシ３の有効幅の変更の仕方について説明する。
【００３１】
図３に示す回転ブラシ３の有効幅を広くするには、先ずカバー３のフード部１５を、図２に二点鎖線で示すように開いた後、一対の回転板１８、１９に支持された全ての軸体２１を、一対の回転板１８、１９に対して長手方向に移動可能にする。この実施例では１６本のボルト２１について、各ボルト２１からナット２４を取り外す。
【００３２】
次に、固定手段２６によりボス２５の駆動軸２への固定を解き、回転板１９を回転ブラシ３の有効幅の増加分に相当する距離だけ駆動軸２の先端から遠ざかる方向にスライドさせることで、図６に二点鎖線で示すように、有効幅変更後の位置つまり変更予定位置につける。この実施例では、固定手段２６によりボス２５の駆動軸２への固定を解くには、締付用ボルト３５を緩める。
【００３３】
次に、軸体２１毎に、追加する棒材２２を軸体２１に装着した後、軸体２１の内側の先端部を、変更予定位置についた内側の回転板１９によって保持させる。
【００３４】
追加する棒材２２を軸体２１に装着するには、軸体２１の内側の先端と、変更予定位置についた内側の回転板１９のとの隙間が、少なくとも棒材２２の幅より大きくなるように、軸体２１を駆動軸２の先端側へ移動させる。この実施例では、図６の上側に２点鎖線で示すボルト２１が、そのボルト先端と変更予定位置についた回転板１９との隙間が棒材２２の幅より僅かに大きくなる位置に移動した状態にある。次いで、変更予定位置についた内側の回転板１９と、ボルト２１の先端との隙間に、棒材２２の穴のある方の一端を差し込んで、棒材２２とボルト２１を相対的に移動することにより、追加する棒材２２の穴の部分をボルト２１によって貫通させる。
【００３５】
軸体２１の内側の先端部を、変更予定位置についた内側の回転板１９によって保持させるには、この実施例ではボルト２１を、駆動軸２の先端から遠ざかる方向に移動し、ボルト２１の先端部を、変更予定位置についている内側の回転板１９の穴に挿入して貫通させる。その後、ボルト２１の先端部にナット２４を螺着する。図６の下側に二点鎖線で示すボルト２１は、その先端部で回転板１９を貫通した後、その先端部にナット２４を螺着した状態にある。
【００３６】
次に、変更予定位置についた内側の回転板１９の位置を微調整することにより、一対の回転板１８、１９の間隔を所要の間隔にした後、固定手段２６により内側の回転板１９を駆動軸２に確実に固定し、その後、一対の回転板１８、１９による各軸体２１の保持を確実にする。この実施例では、一対の回転板１８、１９の間隔を所要の間隔にした後、締付用ボルト３５を締める。このときボス２５の締付部分２５ｃは、切れ目３２を形成してあるので、隙間を縮めるように撓んで駆動軸２の外周面を締め付ける。その後、ボルト２１毎にナット２４を確実に締めておく。
【００３７】
貝殻から除去される異物は塩分含む貝殻の粉等からなり、その異物が貝殻の掃除中にカバー４内に飛散し、駆動軸２の外周面に異物に付着する。この駆動軸２上の附着物が駆動軸２とボス２５との嵌め合い部分に入り込んで両者を固着状態し、内側の回転板１９の駆動軸２沿いに移動を妨げることがある。その場合には、図６に示すように、押しねじ用のねじ穴２９に、押しねじ３６（二点鎖線で示す）を螺合させて回転させ、その押しねじ３６の先端部で回転板１９の側面を押すとよい。このようにすれば、二つの回転板１８、１９の間隔が所要間隔になるよう内側の回転板１９を外側の回転板１８に対して遠ざける作業を容易に確実に行うことができる。
【００３８】
図３に示す回転ブラシ３の有効幅を狭くするには、有効幅を広くする場合と同様に、先ずカバー３のフード部１５を開いた後、一対の回転板１８、１９に支持された全ての軸体２１を、一対の回転板１８、１９に対して長手方向に移動可能にする。
【００３９】
次に、軸体２１毎に、必要な本数の棒材２２を軸体２１から取り外した後、内側の回転板１９を、回転ブラシ３の有効幅の減少分に相当する距離だけスライドさせることで、駆動軸２の先端側へ移動させて変更予定位置につける。
【００４０】
このとき棒材２２を軸体２１から取り外すには、軸体２１の内側の先端と、内側の回転板１９のとの隙間が、少なくとも棒材２２の幅より大きくなるように、軸体２１を駆動軸２の先端側へ移動させ、その後、軸体２１の内側の先端と、内側の回転板１９のとの隙間を通じて、必要な本数の棒材２２を取り出す。
【００４１】
次に、有効幅を広くする場合と同様に、軸体２１の内側の先端部を、変更予定位置についた内側の回転板１９によって保持させる。
【００４２】
次に、有効幅を広くする場合と同様に、変更予定位置についた内側の回転板１９の位置を微調整することにより、一対の回転板１８、１９の間隔を所要の間隔にした後、固定手段２６により内側の回転板１９を駆動軸２に確実に固定し、その後、一対の回転板１８、１９による各軸体２１の保持を確実にする。
【００４３】
本発明によれば、貝殻掃除装置は、回転ブラシ３やカバー４を台枠３の片側にだけ備えるものでもよい。また回転ヘッド２０は、一対の鍔部１８、１９が互いに接近離反可能なものではなく、例えば一対の鍔部１８、１９が一つの素材からボスの両端部に削り出されており互いに接近離反不能となっているものであってもよい。
【産業上の利用可能性】
【００４４】
本発明は、牡蠣の貝殻の掃除だけで無く、例えばサザエやアワビ等他の貝の貝殻の掃除にも適用することができる。
【符号の説明】
【００４５】
１…台枠
１ａ…前面板
１ｂ…天板
２…駆動軸
２ａ…小径部
３…回転ブラシ
４…カバー
５…軸受
６…モータ
７…ベルト伝動装置
８…速度設定つまみ
９…スイッチ
１０…下側の開口
１１…前側の開口
１２…反り板
１４…スカート部
１５…フード部
１６…蝶番
１７…案内板
１８…鍔部（外側の回転板）
１９…鍔部（内側の回転板）
２０…回転ヘッド
２１…軸体（ボルト）
２２…棒材（割ピン）
２３…平座金
２４…ナット
２５…ボス
２５ａ…小径部
２５ｂ…フランジ部
２５ｃ…締付部分
２５ｄ…切れ目の近傍部分
２５ｅ…切れ目の近傍部分
２６…固定手段
２７…座金
２８…ボルト
２９…ねじ穴
３０…ボルト
３１…切欠き
３２…切れ目
３３…ネジ穴
３４…座繰り付きバカ穴
３５…締付用ボルト
３６…押しねじ
Ａ…異物
Ｂ…容器（籠）
Ｆ…フランジ
ＦＬ…床
Ｓ…貝殻
【図１】
2020089325.tif 000003
【図２】
2020089325.tif 000004
【図３】
2020089325.tif 000005
【図４】
2020089325.tif 000006
【図５】
2020089325.tif 000007
【図６】
2020089325.tif 000008
【図７】
2020089325.tif 000009
【図８】
2020089325.tif 000010
【図９】
2020089325.tif 000011